(57)【要約】【課題】きょう体の錆発生を防ぐとことができ、市販標準品の防水パッキンとシールドパッキンで実現できる屋外きょう体のシールド構造を提供することである。【解決手段】実施形態の屋外きょう体のシールド構造は、箱状の屋外きょう体１の一側面に開口面３ａが形成されたきょう体本体３と、きょう体本体３の開口面３ａを閉塞する扉２と、扉２の内側ときょう体１の開口面３ａの周縁部位との接触面間に設けられた防水パッキン（防水用のシール手段）１２と、扉２の内側に設けられた内扉７と、内扉７と開口面３ａの周縁部位との接触面間に設けられ、内扉７ときょう体１との間から漏れる不要電波を遮蔽するシールドパッキン（シールド手段）１１とを具備する。【選択図】図４
2014179359.tif 000002
【特許請求の範囲】
【請求項１】
箱状の屋外きょう体の一側面に開口面が形成されたきょう体本体と、
前記きょう体本体の前記開口面を閉塞する扉と、
前記扉の内側と前記きょう体の前記開口面の周縁部位との接触面間に設けられた防水用のシール手段と、
前記扉の内側に設けられた内扉と、
前記内扉と前記開口面の周縁部位との接触面間に設けられ、前記内扉と前記きょう体との間から漏れる不要電波を遮蔽するシールド手段と
を具備することを特徴とする屋外きょう体のシールド構造。
【請求項２】
前記きょう体本体は、前記開口面の周縁部位に枠体が形成され、
前記枠体に前記扉の内側と接触する第１の接触面と、前記内扉と接触する第２の接触面とを設け、
前記第１の接触面に前記防水用のシール手段を設け、
前記第２の接触面に前記シールド手段を設けたことを特徴とする請求項１に記載の屋外きょう体のシールド構造。
【請求項３】
前記防水用のシール手段は、前記扉の内面側における前記第１の接触面との対向部位、または前記枠体の前記第１の接触面の少なくともいずれか一方に防水パッキンを設け、前記扉の閉塞時に前記枠体の前記第１の接触面と前記扉の内面との間で前記防水パッキンを圧接させることで、前記扉と前記きょう体の前記第１の接触面との接触面間を防水し、
前記シールド手段は、前記内扉における前記第２の接触面との対向部位、または前記枠体の前記第２の接触面の少なくともいずれか一方に不要電波を遮蔽するシールドパッキンを設け、前記シールドパッキンを前記枠体の前記第２の接触面に接触させることで、前記内扉と前記きょう体の前記第２の接触面との接触面間で不要電波を遮蔽することを特徴とする請求項２に記載の屋外きょう体のシールド構造。
【請求項４】
前記シールド手段は、前記シールドパッキンと接触する前記内扉および前記枠体の接触面がいずれも非塗装で金属面がむき出しの導通部であることを特徴とする請求項３に記載の屋外きょう体のシールド構造。
【請求項５】
前記内扉は、前記枠体の前記第２の接触面にねじ止め固定され、
前記扉は、前記枠体全体を覆う状態で、前記きょう体の前記開口面の周縁部位に開閉可能に支持されていることを特徴とする請求項２に記載の屋外きょう体のシールド構造。
【請求項６】
前記内扉は、前記きょう体の内部に収容された内蔵物を監視する監視用窓を有することを特徴とする請求項１に記載の屋外きょう体のシールド構造。
【請求項７】
前記扉は、前記防水パッキンの内側に前記扉を閉めたときに前記内扉の前記監視用窓の周囲の金属部分と接触し、導通させる第２のシールドパッキンが取り付けられていることを特徴とする請求項６に記載の屋外きょう体のシールド構造。
【発明の詳細な説明】
【技術分野】
【０００１】
本発明の実施形態は、屋外きょう体のシールド構造に関する。
【背景技術】
【０００２】
電子機器が収納される屋外きょう体が各種分野で使用されている。従来の屋外きょう体の防水対策としては、扉の内面側で扉の周囲に防水パッキンを取り付けるとともに、きょう体側にパッキン当て面を設け、扉を閉じた時に扉の防水パッキンをきょう体側のパッキン当て面に接触させることにより実現させている。さらに、きょう体内外からの不要な電磁波を遮断するための電磁シールドを実現するために、導電性も兼ね備えたパッキンを使用することが行なわれている。
【先行技術文献】
【特許文献】
【０００３】
【特許文献１】特開平１１−３１７５８９号公報
【特許文献２】特開平８−１７２２８９号公報
【特許文献３】実開平５−２５７９８号公報
【発明の概要】
【発明が解決しようとする課題】
【０００４】
上記従来構成の屋外きょう体の防水構造では電磁シールドを実現する構造にするために防水パッキンと扉との接触面、およびパッキンときょう体当て面との接触面は、導通を取る必要がある。そのため、防水パッキンと扉との接触面や、パッキンときょう体当て面との接触面にはきょう体に施している塗装が付着しないようにしている。しかしながら、この場合、塗装が付着していない部分は金属面が外気に露出された状態で保持されているので、この金属面の露出部分が外気や水分にさらされやすいため、きょう体側の錆発生などの劣化の可能性がある。
【０００５】
また、従来の屋外きょう体の防水構造では扉を開けると、きょう体の内部ユニットである電子機器などが直接、外気にさらされる構造のため、きょう体の内部ユニットに雨粒などかかり、内部ユニットの故障の原因にもなる可能性がある。
【０００６】
本実施形態は上記事情に着目してなされたもので、きょう体の錆発生を防ぐとことができ、市販標準品の防水パッキンとシールドパッキンで実現できる屋外きょう体のシールド構造を提供することにある。
【課題を解決するための手段】
【０００７】
実施形態の屋外きょう体のシールド構造は、箱状の屋外きょう体の一側面に開口面が形成されたきょう体本体と、前記きょう体本体の前記開口面を閉塞する扉と、前記扉の内側と前記きょう体の前記開口面の周縁部位との接触面間に設けられた防水用のシール手段と、前記扉の内側に設けられた内扉と、前記内扉と前記開口面の周縁部位との接触面間に設けられ、前記内扉と前記きょう体との間から漏れる不要電波を遮蔽するシールド手段とを具備する。
【図面の簡単な説明】
【０００８】
【図１】第１の実施の形態の屋外きょう体の扉を閉じた状態を示す斜視図。
【図２】第１の実施の形態の屋外きょう体の扉を開いた状態を示す斜視図。
【図３】第１の実施の形態の屋外きょう体の内扉を取り付ける前の状態を示す斜視図。
【図４】第１の実施の形態の屋外きょう体に内扉を取り付けた状態で扉を閉じた状態を示す縦断面図。
【図５】第１の実施の形態の屋外きょう体から扉を開いた状態で内扉を取り外した状態を示す縦断面図。
【図６】第２の実施の形態の屋外きょう体に内扉を取り付けた状態で扉を開いた状態を示す斜視図。
【図７】第２の実施の形態の屋外きょう体に内扉を取り付ける前の状態で扉を開いた状態を示す斜視図。
【図８】第２の実施の形態の屋外きょう体に内扉を取り付けた状態で扉を閉じた状態を示す縦断面図。
【図９】第２の実施の形態の屋外きょう体から扉を開いた状態で内扉を取り外した状態を示す縦断面図。
【発明を実施するための形態】
【０００９】
［第１の実施の形態］  
（構成）  
図１乃至図５は、屋外きょう体のシールド構造の第１の実施の形態を示す。図１は、屋外きょう体１の扉２を閉じた状態を示す斜視図、図２は、屋外きょう体１の扉２を開いた状態を示す斜視図である。
【００１０】
屋外きょう体１は、箱状のきょう体本体３を有する。このきょう体本体３には、図２に示すように、一側面（本実施の形態では正面）に開口面３ａが形成され、この開口面３ａが扉２によって開閉可能に閉塞されている。扉２の一側部は、図１に示すように、上下一対のちょう番４ａ、４ｂによってきょう体本体３の開口面３ａの一側部に回動可能に連結されている。さらに、図１に示すように、扉２の外面にはハンドル５が取り付けられている。また、図３に示すように、屋外きょう体１の内部には電子機器などの複数の内部ユニット６が収納されている。
【００１１】
図３に示すように、扉２の内側には、金属製の内扉７が設けられている。この内扉７は、長方形状の平板パネル７ａの上下左右の端縁部にそれぞれ外向きに直角に折り返した幅狭のＬ字状屈曲部７ｂが形成されている。
【００１２】
きょう体本体３は、図２、３に示すように、開口面３ａの周縁部位に矩形の枠体８が形成されている。この枠体８は、図４に示すようにきょう体本体３を形成している平板状のパネル３ｂの前端部を内側に直角に折り返した幅狭の第１折り返し部８ａと、この第１折り返し部８ａの内端から外側に直角に折り返した第２折り返し部（第２の接触面）８ｂと、この第２折り返し部８ｂの前端から外向きに直角に折り返した第３折り返し部（第１の接触面）８ｃとで形成されている。
【００１３】
枠体８の第１折り返し部８ａの内面にはＬ字状の断面形状の内扉取付け部９が固定されている。この内扉取付け部９の内端部は、枠体８の第１折り返し部８ａの内側に突出されており、この内扉取付け部９の内端突出部に内扉７が固定ねじ１０によってねじ止め固定できるようにしている。
【００１４】
また、図５に示すように内扉７のＬ字状屈曲部７ｂの外面には導電性を有するシールドパッキン（シールド手段）１１が取り付けられている。そして、図４に示すようにきょう体１に内扉７を取り付けるとシールドパッキン１１はきょう体１の内壁である枠体８の第２折り返し部８ｂと接触する。ここで、シールドパッキン１１と接触するきょう体１側の接触面である枠体８の第２折り返し部８ｂと、内扉７側の接触面であるＬ字状屈曲部７ｂの外面は共に塗装がなされておらず、金属面がむき出しとなっている。そのため、内扉７ときょう体１間は導通が取られている。これにより、きょう体１の内外からの不要電波の漏れや侵入を防ぐことができ、内扉７ときょう体１との間から漏れる不要電波を遮蔽するシールド手段が形成されている。また、内扉７は内部ユニット６の保護を兼ね、防滴などの効果もある。
【００１５】
また、扉２は、長方形状の平板パネル２ａの上下左右の端縁部にそれぞれ外向きに直角に折り返した幅狭のＬ字状屈曲部２ｂが形成されている。扉２の内面側にはＬ字状屈曲部２ｂに沿ってほぼ矩形枠状の防水パッキン（防水用のシール手段）１２が取り付けられている。そして、図４に示すようにきょう体１に扉２を閉めると防水パッキン１２がきょう体１の枠体８の第３折り返し部８ｃと圧接状態で接触し、きょう体１の内部への水の侵入を防いでいる。
【００１６】
（作用・効果）  
上記構成の本実施の形態の屋外きょう体１では、次の効果を奏する。すなわち、本実施の形態の屋外きょう体１では、きょう体１の防水はきょう体１の枠体８の第３折り返し部８ｃと扉２の内面側との間に介在する防水パッキン１２で行い、不要電波を遮蔽するシールドパッキン１１はきょう体１の内部で使用される内扉７に設けている。そして、シールドパッキン１１と接触するきょう体１側の接触面である枠体８の第２折り返し部８ｂと、内扉７側の接触面であるＬ字状屈曲部７ｂの外面は共に塗装がなされておらず、金属面がむき出しとなっている。そのため、導通を取るための塗装を行わない箇所は、扉２の内部側に配置されているので、直接外気と接触せず、錆などの恐れはない。また、内扉７により内部ユニット６への防滴構造も兼ねることができる。
【００１７】
さらに、導電性を兼ね備えた防水パッキンは特殊であり、市販品は限られている。これに対し、本実施の形態では、入手しやすい防水パッキン１２とシールドパッキン１１を使用することができるため、導電性を兼ね備えた防水パッキンを不要にすることができる。そのため、屋外きょう体１の製造性を高めることができる。
【００１８】
なお、本実施の形態では内扉７のＬ字状屈曲部７ｂの外面にシールドパッキン１１が取り付けられ、扉２の内面側に防水パッキン１２が取り付けられている構成を示したが、きょう体１の枠体８の第２折り返し部８ｂにシールドパッキン１１を取り付け、枠体８の第３折り返し部８ｃに防水パッキン１２を取り付ける構成にしてもよい。
【００１９】
［第２の実施の形態］  
（構成）  
図６乃至図９は、屋外きょう体のシールド構造の第２の実施の形態を示す。本実施の形態は、第１の実施の形態（図１乃至図５参照）の屋外きょう体のシールド構造の構成を次の通り変更した変形例である。なお、図６乃至図９中で、図１乃至図５と同一部分には同一の符号を付してその説明を省略する。
【００２０】
図６に示すように、本実施の形態の屋外きょう体２１は、第１の実施の形態の屋外きょう体１の内扉７に内部ユニット６を監視する監視用窓２２を設けたものである。この監視用窓２２は透明樹脂板でできている。この監視用窓２２では不要電波を遮蔽することはできない。そこで、本実施の形態では扉２の防水パッキン１２の内側に第２のシールドパッキン２３を取り付けている。
【００２１】
また、図９に示すように扉２の内面側には、内扉７との対向面側に突出する矩形枠状のシールドパッキン取り付け部２４が突設されている。第２のシールドパッキン２３はこのシールドパッキン取り付け部２４の先端面に取り付けられている。そして、図８に示すように扉２を閉めたときに扉２の内面側の第２のシールドパッキン２３が内扉７の監視用窓２２の周囲の金属部分と接触し、導通が取られるようにしている。ここで、第２のシールドパッキン２３と接触する扉２の内面側の接触面であるシールドパッキン取り付け部２４と、内扉７側の接触面である監視用窓２２の周囲の金属部分は共に塗装がなされておらず、金属面がむき出しとなっている。そのため、扉２を閉めたときに扉２の内面側の第２のシールドパッキン２３が内扉７の監視用窓２２の周囲の金属部分と接触することで、きょう体１の内外からの不要電波の漏れや侵入を防ぐことができ、内扉７の監視用窓２２の周囲と扉２との間から漏れる不要電波を遮蔽することができる。
【００２２】
（作用・効果）  
上記構成の本実施の形態の屋外きょう体２１では、第１実施形態と同様にきょう体２１の防水はきょう体２１の枠体８の第３折り返し部８ｃと扉２の内面側との間に介在する防水パッキン１２で行い、内扉７に設けたシールドパッキン１１で不要電波を遮蔽することができる。そのため、第１実施形態と同様の効果が得られる。
【００２３】
さらに、本実施の形態では屋外きょう体２１から扉２を開いた状態で、内扉７の監視用窓２２から内部ユニット６を監視することができる。そのため、屋外きょう体２１から内扉７を取り外すことなく内部ユニット６を監視することができるので、内部ユニット６を監視する作業を効率よく行なうことができる。
【００２４】
また、扉２の内面側には、内扉７との対向面側に突出する矩形枠状のシールドパッキン取り付け部２４が突設され、このシールドパッキン取り付け部２４の先端面に第２のシールドパッキン２３が取り付けられている。そして、扉２を閉めたときに扉２の内面側の第２のシールドパッキン２３が内扉７の監視用窓２２の周囲の金属部分と接触し、導通が取られるようにしているので、きょう体１の内外からの不要電波の漏れや侵入を防ぐことができ、内扉７の監視用窓２２の周囲と扉２との間から漏れる不要電波を遮蔽することができる。
【００２５】
これらの実施形態によれば、きょう体の錆発生を防ぐとことができ、市販標準品の防水パッキンとシールドパッキンで実現できる屋外きょう体のシールド構造を提供することができる。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１…屋外きょう体、２…扉、３ａ…開口面、３…きょう体本体、７…内扉、１１…シールドパッキン（シールド手段）、１２…防水パッキン（防水用のシール手段）。
【図１】
2014179359.tif 000003
【図２】
2014179359.tif 000004
【図３】
2014179359.tif 000005
【図４】
2014179359.tif 000006
【図５】
2014179359.tif 000007
【図６】
2014179359.tif 000008
【図７】
2014179359.tif 000009
【図８】
2014179359.tif 000010
【図９】
2014179359.tif 000011